(57)【要約】【課題】  本発明は、カメラ等に配置される焦点検出装置に関し、再結像レンズ保持部材と傾き調節部材とを接着した後に、傾き調節部材とセンサ保持部材とを確実に接着することを目的とする。【解決手段】  再結像レンズ保持部材に形成される第１の接着剤注入部と、傾き調節部材に形成される第２の接着剤注入部とを、第１の接着剤注入部への接着剤の注入時に、接着剤が第２の接着剤注入部に流入することのない間隔を置いて配置することを特徴とする。【選択図】      図２
2005122063.tif 000002
【特許請求の範囲】
【請求項１】
対物レンズからの光束のうち前記対物レンズの射出瞳の異なる領域を通る複数の光束のそれぞれを一対の再結像光学系を介して受光する受光センサを備えた焦点検出装置において、
前記再結像レンズを保持する再結像レンズ保持部材と、
前記受光センサを保持するセンサ保持部材と、
前記再結像レンズの光軸に対する前記受光センサの傾きを調節するため前記再結像レンズ保持部材と前記センサ保持部材との間に介在される傾き調節部材と、
前記再結像レンズ保持部材と前記傾き調節部材とを接着剤により接着する第１の接着部と、
前記再結像レンズ保持部材に形成され前記第１の接着部に接着剤を注入するための第１の接着剤注入部と、
前記傾き調節部材と前記センサ保持部材とを接着剤により接着する第２の接着部と、
前記傾き調節部材に形成され前記第２の接着部に接着剤を注入するための第２の接着剤注入部とを備え、
前記第１の接着剤注入部と前記第２の接着剤注入部とが、前記第１の接着剤注入部への接着剤の注入時に、接着剤が前記第２の接着剤注入部に流入することのない間隔を置いて配置されていることを特徴とする焦点検出装置。
【請求項２】
請求項１記載の焦点検出装置において、
前記再結像レンズ保持部材における前記第１の接着剤注入部が形成される面と、前記傾き調節部材における前記第２の接着剤注入部が形成される面とが、異なる方向に向いていることを特徴とする焦点検出装置。
【請求項３】
請求項１または請求項２記載の焦点検出装置において、
前記第１の接着剤注入部および前記第２の接着剤注入部に、前記第１の接着部および前記第２の接着部に接着剤を注入するための注入溝を形成してなることを特徴とする焦点検出装置。
【発明の詳細な説明】
【技術分野】
【０００１】
本発明は、カメラ等に配置される焦点検出装置に関する。
【背景技術】
【０００２】
従来、カメラ等に配置される位相差焦点検出方式の焦点検出装置として、例えば、特開平３−２３５９０６号公報に開示されるものが知られている。
この公報に開示される焦点検出装置では、再結像レンズが再結像レンズ保持部材（光学系保持部材）により保持され、受光センサがセンサ保持部材により保持されている。
そして、再結像レンズ保持部材およびセンサ保持部材に、各々円柱状の凹面および凸面を設け、再結像レンズ保持部材とセンサ保持部材とを、円柱面軸を中心に相対的に回動させることにより、再結像レンズの光軸に対する受光センサの傾きが調整されている。
【特許文献１】特開平３−２３５９０６号公報
【発明の開示】
【発明が解決しようとする課題】
【０００３】
しかしながら、このような従来の焦点検出装置では、受光センサを保持するセンサ保持部材に、円柱状の凸面を直接設けているため、再結像レンズの光軸に対する受光センサの傾き調整は比較的容易であるが、再結像レンズの光軸に直交する方向での受光センサの位置調整が難しくなるという問題があった。
そこで、再結像レンズ保持部材とセンサ保持部材との間に、円柱状の凸面が形成される傾き調節部材を独立して配置し、先ず、再結像レンズの光軸に対する受光センサの傾き調整を行った後、再結像レンズ保持部材と傾き調節部材とを接着剤により接着し、この後、再結像レンズに対する受光センサの位置調整を行い、傾き調節部材とセンサ保持部材とを接着する構造の焦点検出装置が検討されている。
【０００４】
しかしながら、このような構造の焦点検出装置では、再結像レンズ保持部材と傾き調節部材とを接着するために接着剤注入部に接着剤を注入すると、接着剤が、傾き調節部材とセンサ保持部材とを接着するための接着剤注入部に流れ込み固まり、後に、傾き調節部材とセンサ保持部材とを接着するための接着剤注入部に接着剤を注入することが困難になるおそれがある。
【０００５】
本発明は、かかる問題を解決するためになされたもので、再結像レンズ保持部材と傾き調節部材とを接着した後に、傾き調節部材とセンサ保持部材とを確実に接着することができる焦点検出装置を提供することを目的とする。
【課題を解決するための手段】
【０００６】
請求項１の焦点検出装置は、対物レンズからの光束のうち前記対物レンズの射出瞳の異なる領域を通る複数の光束のそれぞれを一対の再結像光学系を介して受光する受光センサを備えた焦点検出装置において、前記再結像レンズを保持する再結像レンズ保持部材と、前記受光センサを保持するセンサ保持部材と、前記再結像レンズの光軸に対する前記受光センサの傾きを調節するため前記再結像レンズ保持部材と前記センサ保持部材との間に介在される傾き調節部材と、前記再結像レンズ保持部材と前記傾き調節部材とを接着剤により接着する第１の接着部と、前記再結像レンズ保持部材に形成され前記第１の接着部に接着剤を注入するための第１の接着剤注入部と、前記傾き調節部材と前記センサ保持部材とを接着剤により接着する第２の接着部と、前記傾き調節部材に形成され前記第２の接着部に接着剤を注入するための第２の接着剤注入部とを備え、前記第１の接着剤注入部と前記第２の接着剤注入部とが、前記第１の接着剤注入部への接着剤の注入時に、接着剤が前記第２の接着剤注入部に流入することのない間隔を置いて配置されていることを特徴とする。
【０００７】
請求項２の焦点検出装置は、請求項１記載の焦点検出装置において、前記再結像レンズ保持部材における前記第１の接着剤注入部が形成される面と、前記傾き調節部材における前記第２の接着剤注入部が形成される面とが、異なる方向に向いていることを特徴とする。
請求項３の焦点検出装置は、請求項１または請求項２記載の焦点検出装置において、前記第１の接着剤注入部および前記第２の接着剤注入部に、前記第１の接着部および前記第２の接着部に接着剤を注入するための注入溝を形成してなることを特徴とする。
【０００８】
（作用）
請求項１の焦点検出装置では、先ず、再結像レンズ保持部材に対する傾き調節部材の傾き調整を行うことにより、再結像レンズの光軸に対する受光センサの傾き調整が行われる。次に、再結像レンズ保持部材に形成される第１の接着剤注入部に接着剤を注入することにより、再結像レンズ保持部材と傾き調節部材とが第１の接着部において接着される。次に、再結像レンズ保持部材に対するセンサ保持部材の位置調整を行うことにより再結像レンズに対する受光センサの位置調整が行われる。そして、傾き調節部材に形成される第２の接着剤注入部に接着剤を注入することにより、傾き調節部材とセンサ保持部材とが第２の接着部において接着される。
【０００９】
そして、再結像レンズ保持部材に形成される第１の接着剤注入部と傾き調節部材に形成される第２の接着剤注入部とが、第１の接着剤注入部への接着剤の注入時に、接着剤が第２の接着剤注入部に流入することのない間隔を置いて配置されるため、再結像レンズ保持部材と傾き調節部材との接着時に、第１の接着剤注入部に接着剤を注入しても接着剤が、第２の接着剤注入部に流れ込むことがなくなる。
【００１０】
請求項２の焦点検出装置では、再結像レンズ保持部材における第１の接着剤注入部が形成される面と、傾き調節部材における第２の接着剤注入部が形成される面とが、異なる方向に向いて形成され、これにより、第１の接着剤注入部に注入される接着剤が、第２の接着剤注入部に流れ込むことがより確実に防止される。
請求項３の焦点検出装置では、第１の接着剤注入部および第２の接着剤注入部に、第１の接着部および第２の接着部に接着剤を注入するための注入溝が形成され、注入溝に接着剤を注入することにより、接着剤が、第１の接着部および第２の接着部に確実に供給される。
【発明の効果】
【００１１】
請求項１の焦点検出装置では、再結像レンズ保持部材に形成される第１の接着剤注入部と傾き調節部材に形成される第２の接着剤注入部とを、第１の接着剤注入部への接着剤の注入時に、接着剤が第２の接着剤注入部に流入することのない間隔を置いて配置したので、再結像レンズ保持部材と傾き調節部材との接着時に、第１の接着剤注入部に接着剤を注入しても接着剤が、第２の接着剤注入部に流れ込むことがなくなり、再結像レンズ保持部材と傾き調節部材とを接着した後に、傾き調節部材とセンサ保持部材とを確実に接着することができる。
【００１２】
請求項２の焦点検出装置では、再結像レンズ保持部材における第１の接着剤注入部が形成される面と、傾き調節部材における第２の接着剤注入部が形成される面とを、異なる方向に向けて位置させたので、第１の接着剤注入部に注入される接着剤が、第２の接着剤注入部に流れ込むことをより確実に防止することができる。
請求項３の焦点検出装置では、第１の接着剤注入部および第２の接着剤注入部に、第１の接着部および第２の接着部に接着剤を注入するための注入溝を形成したので、注入溝に接着剤を注入することにより、接着剤を第１の接着部および第２の接着部に容易，確実に供給することができる。
【発明を実施するための最良の形態】
【００１３】
以下、本発明の実施形態を図面を用いて詳細に説明する。
図１は一般的な位相差方式の焦点検出装置の概略的な構成を示す図である。
撮影光学系１を通過した被写体光束は、一次結像面近傍に配置された焦点検出領域に対応する開口を有する視野マスク２によって焦点検出に用いる光束（焦点検出光束）に制限される。視野マスク２の開口を透過した焦点検出光束は、コンデンサレンズ３を介して撮影光学系１の射出瞳位置とほぼ共役な位置に配置された２つの絞り開口４ａ，４ｂを有する絞りマスク４によって射出瞳面の異なる領域を通過する２光束に分割される。この分割された焦点検出光束は、再結像レンズ５ａ，５ｂによって一次結像面とほぼ共役な位置に配置された一対の光電変換素子６ａ，６ｂ上に被写休像を結像する。
【００１４】
図２は、本発明の焦点検出装置の一実施形態の要部を示している。
図２において、再結像レンズ保持部材１１とセンサ保持部材１３とが、傾き調節部材１５を介して連結されている。
再結像レンズ保持部材１１の内部には、図３に示す再結像レンズ５が収容され保持されている。また、センサ保持部材１３には、ＣＣＤ，ＣＭＯＳ等の光電変換素子からなる受光センサ１９が保持されている。
【００１５】
そして、図２に示すように、再結像レンズ保持部材１１と傾き調節部材１５とが、第１の接着部２１において接着剤により接着されている。
再結像レンズ保持部材１１には、第１の接着部２１に接着剤を注入するための第１の接着剤注入部１１ａが形成されている。この第１の接着剤注入部１１ａには、第１の接着部２１に接着剤を注入するための三角錐状の注入溝１１ｂが形成されている。
【００１６】
また、傾き調節部材１５とセンサ保持部材１３とが、第２の接着部２３において接着剤により接着されている。
傾き調節部材１５には、第２の接着部２３に接着剤を注入するための第２の接着剤注入部１５ａが形成されている。この第２の接着剤注入部１５ａには、第２の接着部２３に接着剤を注入するための三角錐状の注入溝１５ｂが形成されている。
【００１７】
そして、この実施形態では、再結像レンズ保持部材１１における第１の接着剤注入部１１ａが形成される面１１ｃと、傾き調節部材１５における第２の接着剤注入部１５ａが形成される面１５ｃとが、異なる方向に向いて位置されている。
すなわち、図４に示すように、傾き調節部材１５は矩形状をしており、傾き調節部材１５の再結像レンズ保持部材１１側に円弧状の凸部からなる一対の案内面１５ｄが形成されている。この案内面１５ｄは、傾き調節部材１５の対向する２辺に沿って形成されている。
【００１８】
また、再結像レンズ保持部材１１は矩形状をしており、傾き調節部材１５に形成される案内面１５ｄに対向する位置に、案内面１５ｄに当接する円弧状の凹部からなる当接面１１ｄが形成されている。
そして、この当接面１１ｄの上部に第１の接着剤注入部１１ａが形成されている。
また、傾き調節部材１５には、案内面１５ｄが形成されない２辺に第２の接着剤注入部１５ａが形成されている。
【００１９】
図５は、再結像レンズ保持部材１１と傾き調節部材１５とを接着剤により接着する第１の接着部２１の詳細を示している。
再結像レンズ保持部材１１の第１の接着剤注入部１１ａには、第１の接着部２１に接着剤を注入するための三角錐状の注入溝１１ｂが形成されている。
また、再結像レンズ保持部材１１の当接面１１ｄの第１の接着部２１には、当接面１１ｄより微少に窪んだ凹部１１ｅが形成され、注入溝１１ｂに接着剤を注入すると、接着剤が凹部１１ｅに導かれ再結像レンズ保持部材１１と傾き調節部材１５とが接着剤Ｓにより接着される。
【００２０】
図６は、傾き調節部材１５とセンサ保持部材１３とを接着剤により接着する第２の接着部２３の詳細を示している。
傾き調節部材１５の第２の接着剤注入部１５ａには、第２の接着部２３に接着剤を注入するための三角錐状の注入溝１５ｂが形成されている。
また、傾き調節部材１５の第２の接着部２３には、微少深さの切欠溝１５ｆが形成され、注入溝１５ｂに接着剤を注入すると、接着剤が切欠溝１５ｆに導かれ傾き調節部材１５とセンサ保持部材１３とが接着剤Ｓにより接着される。
【００２１】
上述した焦点検出装置では、再結像レンズ保持部材１１とセンサ保持部材１３とが、傾き調節部材１５を介して以下述べるようにして連結される。
先ず、再結像レンズ保持部材１１に対する傾き調節部材１５の傾き調整を行うことにより、再結像レンズ５の光軸に対する受光センサ１９の傾き調整が行われる。
この傾き調整は、再結像レンズ保持部材１１の当接面１１ｄを傾き調節部材１５の案内面１５ｄに沿って摺動することにより行われる。
【００２２】
次に、再結像レンズ保持部材１１に形成される第１の接着剤注入部１１ａに接着剤を注入することにより、図５に示したように、接着剤が注入溝１１ｂから凹部１１ｅに導かれ、再結像レンズ保持部材１１と傾き調節部材１５とが第１の接着部２１において接着される。
次に、再結像レンズ保持部材１１に対するセンサ保持部材１３の位置調整を行うことにより再結像レンズ５の光軸に直交する方向における受光センサ１９の位置調整が行われる。
【００２３】
この位置調整は、傾き調節部材１５が接着された再結像レンズ保持部材１１をセンサ保持部材１３に対して相対移動することにより行われる。
そして、傾き調節部材１５に形成される第２の接着剤注入部１５ａに接着剤を注入することにより、図６に示したように、接着剤が注入溝１５ｂから切欠溝１５ｆに導かれ、傾き調節部材１５とセンサ保持部材１３とが第２の接着部２３において接着される。
【００２４】
上述した焦点検出装置では、再結像レンズ保持部材１１に形成される第１の接着剤注入部１１ａと傾き調節部材１５に形成される第２の接着剤注入部１５ａとを、第１の接着剤注入部１１ａへの接着剤の注入時に、接着剤が第２の接着剤注入部１５ａに流入することのない間隔を置いて配置したので、再結像レンズ保持部材１１と傾き調節部材１５との接着時に、第１の接着剤注入部１１ａに接着剤を注入しても接着剤が、第２の接着剤注入部１５ａに流れ込むことがなくなり、再結像レンズ保持部材１１と傾き調節部材１５とを接着した後に、傾き調節部材１５とセンサ保持部材１３とを確実に接着することができる。
【００２５】
また、上述した焦点検出装置では、再結像レンズ保持部材１１における第１の接着剤注入部１１ａが形成される面１１ｃと、傾き調節部材１５における第２の接着剤注入部１５ａが形成される面１５ｃとを、異なる方向に向けて位置させたので、第１の接着剤注入部１１ａに注入される接着剤が、第２の接着剤注入部１５ａに流れ込むことをより確実に防止することができる。
【００２６】
さらに、上述した焦点検出装置では、第１の接着剤注入部１１ａおよび第２の接着剤注入部１５ａに、第１の接着部２１および第２の接着部２３に接着剤を注入するための注入溝１１ｂ，１５ｂを形成したので、注入溝１１ｂ，１５ｂに接着剤を注入することにより、接着剤を第１の接着部２１および第２の接着部２３に容易，確実に供給することができる。
【００２７】
なお、上述した実施形態では、再結像レンズ保持部材１１における第１の接着剤注入部１１ａが形成される面１１ｃと、傾き調節部材１５における第２の接着剤注入部１５ａが形成される面１５ｃとを異なる方向に位置させた例について説明したが、本発明はかかる実施形態に限定されるものではなく、第１の接着剤注入部１１ａと第２の接着剤注入部１５ａとが、第１の接着剤注入部１１ａへの接着剤の注入時に、接着剤が第２の接着剤注入部１５ａに流入することのない間隔を置いて配置されていれば良い。
【００２８】
また、上述した実施形態では、傾き調節部材１５側に円弧状の凸部からなる案内面１５ｄを形成し、再結像レンズ保持部材１１側に円弧状の凹部からなる当接面１１ｄを形成した例について説明したが、本発明はかかる実施形態に限定されるものではなく、傾き調節部材側に円弧状の凹部からなる案内面を形成し、再結像レンズ保持部材側に円弧状の凸部からなる当接面を形成しても良い。
【図面の簡単な説明】
【００２９】
【図１】一般的な位相差方式の焦点検出装置の概略的な構成を示す説明図である。
【図２】本発明の焦点検出装置の一実施形態を示す斜視図である。
【図３】図２の焦点検出装置を示す分解斜視図である。
【図４】図３において再結像レンズ保持部材１１に再結像レンズ５を保持させ、センサ保持部材１３に受光センサ１９を保持させた状態を示す斜視図である。
【図５】図２の第１の接着部２１の詳細を示す説明図である。
【図６】図２の第２の接着部２３の詳細を示す説明図である。
【符号の説明】
【００３０】
５  再結像レンズ
１１  再結像レンズ保持部材
１１ａ  第１の接着剤注入部
１１ｂ  注入溝
１１ｃ  面
１３  センサ保持部材
１５  傾き調節部材
１５ａ  第２の接着剤注入部
１５ｂ  注入溝
１５ｃ  面
１９  受光センサ
２１  第１の接着部
２３  第２の接着部
Ｓ  接着剤
【図１】
2005122063.tif 000003
【図２】
2005122063.tif 000004
【図３】
2005122063.tif 000005
【図４】
2005122063.tif 000006
【図５】
2005122063.tif 000007
【図６】
2005122063.tif 000008